(57)【特許請求の範囲】
【請求項１】
リモコン装置と情報処理装置とが双方向に無線通信可能に設けられた情報機器において、
前記リモコン装置は、前記情報処理装置から定期的に送信される存在確認信号を一定時間受信しなかった場合に、自らの回路の電源をオフ制御する制御手段を備えたことを特徴とする双方向無線通信可能な情報機器。
【請求項２】
リモコン装置と情報処理装置とが双方向に無線通信可能に設けられた情報機器において、
前記情報処理装置は、前記リモコン装置から送信されてくる存在確認応答信号を一定時間受信しなかった場合に、装置全体の電源をオフ制御する制御手段を備えたことを特徴とする双方向無線通信可能な情報機器。
【請求項３】
リモコン装置と情報処理装置とが双方向に無線通信可能に設けられた情報機器において、
前記リモコン装置は、前記情報処理装置から定期的に送信されてくる存在確認信号を受信すると存在確認応答信号を送信する送信手段と、モード切替信号を送信する送信手段とを備え、
前記リモコン装置から送信されてくる存在確認応答信号を一定時間受信しなかった場合に、装置全体の電源をオフ制御する動作モードを一定時間モードとし、あらかじめ設定された時刻になったときに装置全体の電源をオフ制御する動作モードを特定時刻モードとするとき、
前記情報処理装置は、前記リモコン装置からのモード切替信号により、前記動作モードのいずれかに切替可能に設けられていることを特徴とする双方向無線通信可能な情報機器。
【発明の詳細な説明】
【０００１】
【発明の属する技術分野】
本発明は、リモコン装置と情報処理装置とが双方向に無線通信可能に設けられた情報機器に係り、特に、リモコン装置が自らの電源スイッチを保持していない無線通信環境における情報機器に関する。
【０００２】
【従来の技術】
リモコン装置と情報処理装置とからなる従来の情報機器の一例であるテレビジョン受信機について説明する。
【０００３】
図１２は、従来のテレビジョン受信機のＴＶ本体７０側の回路構成を示すブロック図であり、図１３は、リモコン装置８０側の回路構成を示すブロック図である。
【０００４】
すなわち、ＴＶ本体７０は、リモコン装置８０からの信号を受信する受信部７１、受信した信号（コマンド）を処理する通信制御部７２、一定時間を計測するタイマーカウント部７３、ＴＶ本体７０の中心であるＴＶ制御部７４、このＴＶ制御部７４によって制御されるチューナ部７５およびＣＲＴ等の画像表示部７６によって構成されている。
【０００５】
また、リモコン装置８０は、各種ボタンを備えたボタン入力部８１、任意の時間を設定できるタイマー設定部８２、ボタン入力部８１からの入力信号を処理する通信制御部８３、通信制御部８３で処理された信号（コマンド）をＴＶ本体７０に対して送信する送信部８４によって構成されている。
【０００６】
上記構成の従来のテレビジョン受信機においては、ＴＶ本体７０に電源が入っている場合は、ＴＶ制御部７４がチューナ部７５や画像表示部７６をコントロールすることにより、ＴＶを表示することが可能である。
【０００７】
リモコン装置８０は、常に電源がオン状態であり、ＴＶ本体７０が電源オン状態である限り、ボタン入力部８１で選択されたコマンドが、通信制御部８３で処理されて送信部８４から送信されることにより、ＴＶ本体７０のコントロールが可能になる。また、リモコン装置８０からＴＶ本体７０の電源をオフ状態にするためには、オフしたいタイミングで明示的に、該当するボタン（電源ボタン等）を意図的に押下すればよい。
【０００８】
また、ＴＶ本体７０の電源をオフ状態にする他の方法としては、リモコン装置８０側でタイマーを設定することが可能であるので、このタイマー設定部８２に「今から何分後にＴＶ本体７０の電源をオフ状態にする」という相対的な時間を設定し、その設定時間データを、通信制御部８３を介して送信部８４から送信する。ＴＶ本体７０側では、送信されてきた設定時間データを受信部７１で受信し、通信制御部７２を介してタイマーカウント部７３に保存する。そして、このタイマーカウント部７３によるカウントが「０」になった時点で、ＴＶ本体７０の電源をオフ状態に移行させる。
【０００９】
なお、リモコン装置からの送信信号を利用して、ＴＶ本体の電源をオフ状態に移行させる他の方法として、特開昭５８−１４５２７５号公報に記載のものがある。
【００１０】
【発明が解決しようとする課題】
上記した従来技術では、リモコン装置８０側の電源は常にオン状態になっており、オフ状態にすることができないといった問題があった。また、リモコン装置８０側から送信するコマンドにより、ＴＶ本体７０の電源をオフ状態に移行させるためには、使用者が意図的に、電源をオフするのに必要な操作を行う必要がある。また、タイマーを設定することにより、自動的にＴＶ本体７０の電源をオフ状態に移行させることができるが、その場合でも、設定できるのは「今から何分後にＴＶ本体７０の電源をオフ状態にする」という相対的な時間であり、「何時何分」という絶対的な時刻を設定することができないといった問題があった。
【００１１】
本発明は係る問題点を解決すべく創案されたもので、その第１の目的は、リモコン装置がある状態に陥った場合には、リモコン装置自体が自動的にリモコン装置の電源をオフ状態に移行できるようにすることにある。また、第２の目的は、使用者が意図的に情報処理装置の電源オフを指定しなくても、リモコン装置がある状態に陥った場合には、情報処理装置自体が自動的に電源をオフ状態に移行できるようにすることにある。また、第３の目的は、相対的な時間ではなく、何時何分という絶対的な時刻になったとき、リモコン装置自体が自動的にある定められたモードに移行できるようにすることにある。また、第４の目的は、相対的な時間ではなく、何時何分という絶対的な時刻になったとき、情報処理装置自体が自動的にある定められたモードに移行できるようにすることにある。また、第５の目的は、リモコン装置側からのコマンドによって、情報処理装置側のモードを切替可能に構成することにある。
【００１２】
【課題を解決するための手段】
上記課題を解決するため、本発明の双方向無線通信可能な情報機器は、リモコン装置と情報処理装置とが双方向に無線通信可能に設けられた情報機器において、前記リモコン装置は、前記情報処理装置から定期的に送信される存在確認信号を一定時間受信しなかった場合に、自らの回路の電源をオフ制御する制御手段を備えたことを特徴とする。
【００１３】
そのため、リモコン装置は、データを送信する送信部と、データを受信する受信部と、リモコン装置自体を唯一に認識させるためのＩＤ番号を記憶するＩＤ番号記憶部と、受信したデータが適切なものかどうかを判断するＩＤ確認部と、どれぐらいの時間電源を保持するかを設定するタイマーカウント部と、自らの回路の電源をオフ状態にするためのスイッチ部と、これら各部をコントロールする通信制御部とを備えた構成となっている。
【００１４】
そして、受信部により情報処理装置から定期的に送信される存在確認信号を受信すると、その存在確認信号に対する存在確認応答信号を送信部より情報処理装置側に向けて送信するとともに、受信部においては、情報処理装置からの送信を待ち続ける。また、ＩＤ確認部においては、自らが所有するＩＤ番号と送信されてきた存在確認信号に含まれるＩＤ番号とを比較することにより、受信した信号が自らに向けて送信されたものかどうかの判断を行う。また、タイマーカウント部においては、ＩＤ番号の一致する信号が送信されてくるたびに、カウント値をリセットし、再度カウントを開始する。このような動作において、タイマーカウント部にセットされた一定時間が経過するまで、ＩＤ番号の一致する信号を受信しなかった場合、すなわち、タイマーカウント部のカウント値が「０」になった場合には、その時点で自らの電源をオフ状態とする。
【００１５】
また、本発明の双方向無線通信可能な情報機器は、リモコン装置と情報処理装置とが双方向に無線通信可能に設けられた情報機器において、前記情報処理装置は、前記リモコン装置から送信されてくる存在確認応答信号を一定時間受信しなかった場合に、装置全体の電源をオフ制御する制御手段を備えたことを特徴とする。
【００１６】
そのため、情報処理装置は、データを送信する送信部と、データを受信する受信部と、送受信の対象となるリモコン装置を設定するためのＩＤ番号を保管するＩＤ保管部と、リモコン装置より受信した時間データを設定するタイマー設定部と、どれぐらいの時間電源を保持するかを設定するタイマーカウント部と、自らの電源をオフ状態にするためのスイッチ部と、これら各部をコントロールする通信制御部とを備えた構成となっている。
【００１７】
そして、受信部においてリモコン装置からの存在確認応答信号を受信した場合、送受信の対象となるリモコン装置のＩＤ番号をＩＤ保管部に設定し、送受信の対象となるリモコン装置が、送受信可能な範囲に存在することを通知するために、送信部よりそのリモコン装置のＩＤ番号を含む存在確認信号を送り返す。また、タイマーカウント部において、タイマー設定部に設定された時間の計測を開始する。また、タイマーカウント部においては、ＩＤ番号を含む信号が送信されてくるたびに、カウント値をリセットし、再度カウントを開始する。このような動作において、タイマーカウント部にセットされた一定時間が経過するまでＩＤ番号を含む信号を受信しなかった場合、すなわち、タイマーカウント部のカウント値が「０」になった場合には、その時点で自らの電源をオフ状態とする。
【００１８】
また、本発明の双方向無線通信可能な情報機器は、リモコン装置と情報処理装置とが双方向に無線通信可能に設けられた情報機器において、前記リモコン装置は、時刻を認識するための時計手段と、使用者が任意の時刻を設定可能な時刻設定手段と、この時刻設定手段に設定された時刻になったとき、あらかじめ定められた特定モードに移行する制御手段とを備えた構成としてもよい。
【００１９】
すなわち、使用者によって時刻設定手段に設定された時刻になると、リモコン装置をあらかじめ設定された特定モード、例えば電源をオフ状態とするモードに移行して、電源をオフ状態とする。
【００２０】
また、本発明の双方向無線通信可能な情報機器は、上記構成において、情報処理装置は、時刻を認識するための情報処理側時計手段と、情報処理側時刻設定手段と、前記リモコン装置の時刻設定手段に設定された時刻データを受信すると、その受信した時刻データを前記情報処理側時刻設定手段に設定し、その設定された時刻になったとき、あらかじめ定められた特定モードに移行する制御手段とを備えた構成としてもよい。
【００２１】
すなわち、使用者によってリモコン装置の時刻設定手段に設定された時刻を、受信部を介して受信し、情報処理装置側の時刻設定部に設定する。そして、この時刻設定部に設定した時刻になると、情報処理装置をあらかじめ設定された特定モード、例えば電源をオフ状態とするモードに移行して、電源をオフ状態とする。
【００２２】
また、本発明の双方向無線通信可能な情報機器は、リモコン装置と情報処理装置とが双方向に無線通信可能に設けられた情報機器において、前記リモコン装置は、時刻を認識するための時計手段と、使用者が任意の時刻を設定可能な時刻設定手段と、この時刻設定手段に設定された時刻になったとき、特定コマンドを前記情報処理装置に送信するとともに、あらかじめ定められた特定モードに移行する制御手段とを備え、前記情報処理装置は、前記リモコン装置から送信されてきた特定コマンドを受信すると、あらかじめ定められた特定モードに移行する制御手段を備えた構成としてもよい。
【００２３】
すなわち、情報処理装置側に、時刻設定部や時計部が無い場合でも、リモコン装置から送信されてくる特定コマンドにより、特定時刻になったときに、情報処理装置をあらかじめ設定された特定モード、例えば電源をオフ状態とするモードに移行して、電源をオフ状態とすることができる。
【００２４】
また、本発明の双方向無線通信可能な情報機器は、リモコン装置と情報処理装置とが双方向に無線通信可能に設けられた情報機器において、前記リモコン装置は、前記情報処理装置から定期的に送信されてくる存在確認信号を受信すると存在確認応答信号を送信する送信手段と、モード切替信号を送信する送信手段とを備え、前記リモコン装置から送信されてくる存在確認応答信号を一定時間受信しなかった場合に、装置全体の電源をオフ制御する動作モードを一定時間モードとし、あらかじめ設定された時刻になったときに装置全体の電源をオフ制御する動作モードを特定時刻モードとするとき、前記情報処理装置は、前記リモコン装置からのモード切替信号により、前記動作モードのいずれかに切替可能に設けられていることを特徴とする。
【００２５】
すなわち、使用者がリモコン装置のモード設定部に一定時間モードまたは特定時刻モードのいずれかを設定するとともに、そのモード切替信号を情報処理装置に送信することにより、情報処理装置側でも同じモードを設定することで、モードを切り替えることができる。
【００２６】
【発明の実施の形態】
以下、本発明の実施の形態について、図面を参照して説明する。
【００２７】
本発明の情報機器としては、ＴＶを表示することが可能なアプリケーションを搭載したパーソナルコンピュータと、そのパーソナルコンピュータに無線で接続できるマウス等の入力装置とによる構成もあるが、この実施の形態では説明を分かりやすくするために、ＴＶ本体と、自らは電源スイッチを持たないリモコン装置とによるテレビジョン受信機を例に挙げて説明する。
【００２８】
図１は、本発明の情報機器の一例であるテレビジョン受信機のＴＶ本体１０側の回路構成を示すブロック図であり、図２は、リモコン装置３０側の回路構成を示すブロック図である。
【００２９】
すなわち、ＴＶ本体１０は、その基本的構成として、リモコン装置３０からの信号を受信する受信部１１、リモコン装置３０に対して信号を送信する送信部１２、受信した信号（コマンド）を処理するとともに、送信信号を生成する通信制御部１３、一定時間を計測するタイマーカウント部１４、ＴＶ本体１０の中心であるＴＶ制御部１５、このＴＶ制御部１５によって制御されるチューナ部１６およびＣＲＴ等の画像表示部１７を備えており、これらの構成に加えて、リモコン装置３０から送信されてくる信号に含まれるＩＤ番号を保管するＩＤ保管部１８、リモコン装置３０から送信されてくる信号に含まれる時間データを設定するタイマー設定部１９、時刻を計測する時計部２０、リモコン装置３０から送信されてくる信号に含まれる時刻データを設定する時刻設定部２１、リモコン装置３０から送信されてくるモード切替信号によるモードを設定するモード設定部２２を備えた構成となっている。
【００３０】
また、リモコン装置３０は、その基本的構成として、ＴＶ本体１０からの信号を受信する受信部３１、ＴＶ本体１０に対して信号を送信する送信部３２、各種ボタンを備えたボタン入力部３３、一定時間を計測するタイマーカウント部３４、ボタン入力部３３からの入力信号を処理して送信部３２に出力するとともに、受信部３１で受信した信号を処理する通信制御部３５を備えており、これらの構成に加えて、自らのＩＤ番号を記憶するＩＤ番号記憶部３６、ＴＶ本体１０から送信されてくる信号に含まれるＩＤ番号と自らのＩＤ番号とを比較するＩＤ確認部３７、時刻を計測する時計部３８、ボタン入力部３３から入力される時刻データを設定する時刻設定部３９、ＴＶ本体１０に送信するモードを設定するモード設定部４０、回路部４１の電源をオン、オフする電源スイッチ４２を備えた構成となっている。
【００３１】
図３は、上記構成のＴＶ本体１０とリモコン装置３０との間で送受信されるデータの構造図であり、従来のデータ１０５に加え、データの先頭部分に２４bit のデータが付加されている。具体的には、第１bit から第４bit までがＩＤ部１０１であり、１６種類のＩＤを認識できる。第５bit から第１１bit までの７bit がタイマー部１０２であり、１２７分までの時間を設定できる。第１２bit と第１３bit とがモード設定部１０３であり、４種類の状態を認識できる。第１４bit から第１８bit までの５bit と、第１９bit から第２４bit までの６bit が時刻設定部１０４であり、２４時間を、分単位で認識できる。
【００３２】
次に、上記構成のテレビジョン受信機における種々の動作例について、実施の形態１〜実施の形態４に分けて説明する。
【００３３】
［実施の形態１］
本実施の形態１では、図１に示すＴＶ本体１０における時計部２０、時刻設定部２１、モード設定部２２、図２に示すリモコン装置３０における時計部３８、時刻設定部３９、モード設定部４０は利用しない。すなわち、これらを削除した構成とすることが可能となっている。
【００３４】
いま、ＴＶ本体１０に電源が入っていて、ＴＶ制御部１５が、チューナ部１６や画像表示部１７をコントロールすることにより、ＴＶが表示されているものとする。
【００３５】
この状態において、ＴＶ本体１０は、自らの近辺に接続が可能なリモコン装置３０が存在するかどうかを確認するため、通信制御部１３より送信部１２を介して、一定間隔で定期的に、ＩＤの付いていない存在確認信号（例えば、図３に示すＩＤ部１０１に「０」をセットしたデータ）を送信する。
【００３６】
ここで、リモコン装置３０がＴＶ本体１０と接続可能な範囲に存在する場合と、存在しない場合とに分けて以下に説明する。
【００３７】
（１）リモコン装置３０がＴＶ本体１０と接続可能な範囲に存在する場合
この場合、リモコン装置３０は、ＴＶ本体１０から送信されたデータ（存在確認信号）を受信部３１で受信し通信制御部３５に渡す。通信制御部３５は、受け取ったデータのＩＤ部１０１（図３参照）を確認し、ＩＤが付いていない場合は、存在確認用のデータであると認識する。そして、ＩＤ番号記憶部３６に記憶しているＩＤ番号（１から１５までの任意の数字）を、送信データのＩＤ部１０１（図３参照）にセットし、送信部３２を介してその送信データ（存在確認応答信号）をＴＶ本体１０に送信する。
【００３８】
ＴＶ本体１０は、受信部１１にて受信したデータ（存在確認応答信号）を通信制御部１３において認識し、データのＩＤ部１０１に「０」以外のＩＤ番号が付加されていれば、そのＩＤ番号をＩＤ保管部１８に保管すると同時に、タイマー設定部１９に定められたある値のタイマーを、タイマーカウント部１４にセットする。タイマーカウント部１４にセットされたタイマー値は、リセットがかからない限り、時間の経過とともに減少するものとする。
【００３９】
次に、ＴＶ本体１０よりデータを送信する場合は、最初に、ＩＤ保管部１８にＩＤ番号が保管（セット）されているかどうかを確認し、セットされていれば、そのＩＤ番号を送信データのＩＤ部１０１（図３参照）にセットし、また、タイマーカウント部１４にセットされているタイマー値をタイマー部１０２（図３参照）にセットして、送信部１２より送信する。
【００４０】
この送信データを受信したリモコン装置３０は、受信データのＩＤ部１０１にセットされているＩＤ番号が自らのＩＤ番号と一致するかどうかをＩＤ確認部３７で確認し、一致した場合には、受信データのタイマー部１０２（図３参照）にセットされているタイマー値を、タイマーカウント部３４にセットすると同時に、回路部４１の電源スイッチ４２をオン状態にする。そして、ＩＤ番号記憶部３６に記憶されているＩＤ番号をＩＤ部１０１（図３参照）に再度セットしたデータを、送信部３２よりＴＶ本体１０に対して送信する。タイマーカウント部３４にセットされたタイマー値は、ＴＶ本体１０のタイマーカウント部１４と同様、リセットがかからない限り、時間の経過とともに減少するものとする。なお、リモコン装置３０においては、回路部４１の電源スイッチ４２がオン状態になった後であれば、リモコン装置３０のボタン入力部３３が保有するボタンを押すことにより、ＴＶ本体１０のチャンネルや音量をコントロールできるものとする。
【００４１】
上記のような構成となっている場合、リモコン装置３０がＴＶ本体１０と接続可能な範囲に存在している限り、リモコン装置３０が所持している固有のＩＤ番号をＴＶ本体１０に認識させることで、リモコン装置３０からＴＶ本体１０をコントロールすることができる。
【００４２】
（２）リモコン装置３０がＴＶ本体１０と接続可能な範囲外に存在する場合
リモコン装置３０が接続可能な範囲外にある場合でも、ＴＶ本体１０の送信部１２からは、定期的に、ＩＤの付いていない存在確認信号（例えば、図３に示すＩＤ部１０１に「０」をセットしたデータ）が送信される。しかし、この場合には、受信部１１において、リモコン装置３０からのデータを受信しないため、タイマー値がリセットされず、タイマーカウント部１４にセットされたタイマー値はどんどん減少し続ける。そして、タイマー値が「０」になったとき、ＴＶ本体１０は、自動的に自らの電源をオフ状態とすることにより、それ以降のＴＶの表示やデータの送受信を停止する。
【００４３】
同様に、リモコン装置３０においても、ＴＶ本体１０からのデータを受信していない場合には、タイマーカウント部３４にセットされているタイマー値がどんどん減少し続け、タイマー値が「０」になったとき、回路部４１の電源スイッチ４２をオフ状態とすることにより、それ以降のボタン入力部３３の機能を停止する。
【００４４】
次に、場合分けした上記（１）、（２）の処理を、図４ないし図６に示すフローチャートを参照してさらに詳しく説明する。ただし、図４はＴＶ本体１０の送信動作を示すフローチャート、図５はＴＶ本体１０の受信動作を示すフローチャート、図６はリモコン装置３０の送受信動作を示すフローチャートである。
【００４５】
まず、図４に示すフローチャートを参照して、ＴＶ本体１０の送信に関するデータの流れを説明する。
【００４６】
最初に、ステップＳ１でＴＶ本体１０の電源をオンにし、ステップＳ２でＴＶ本体１０の電源がオンかどうかをチェックする。その結果、電源がオン状態であればステップＳ３に進み、電源がオフ状態であれば動作を終了する。
【００４７】
ステップＳ３では、ＩＤ保管部１８に、送信対象となるリモコン装置３０のＩＤ番号がセットされているかどうかをチェックする。その結果、ＩＤ番号がセットされていない場合には、ステップＳ４に進んで、ＩＤ部１０１に、ＩＤがセットされていないことを示す「０」を設定する。一方、ＩＤ番号がセットされている場合には、ステップＳ５に進んでそのＩＤ番号をＩＤ部１０１にセットし、次のステップＳ６でタイマーカウント部１４に設定されているタイマー値（これについては後述する。）をタイマー部１０２（図３参照）に設定する。
【００４８】
次のステップＳ７では、ＩＤ部１０１とタイマー部１０２とを備えたデータ１０５（図３参照）を送信して、ステップＳ２に戻る。
【００４９】
このようなステップＳ１〜ステップＳ７の一連の処理により、ＴＶ本体１０の電源がオン状態である限り、ＴＶ本体１０からは、定期的にデータ（存在確認信号）が送信される。
【００５０】
次に、図５に示すフローチャートを参照して、ＴＶ本体１０の受信に関するデータの流れを説明する。
【００５１】
ステップＳ１１では、定期的に受信があるかどうかをチェックする。そして、受信があった場合には、ステップＳ１２に進んで、受信したデータのＩＤ部１０１にリモコン装置３０のＩＤ番号がセットされているかどうかをチェックする。その結果、ＩＤ部１０１に「０」以外のＩＤ番号がセットされている場合には、ステップＳ１３に進んで、セットされているＩＤ番号をＩＤ保管部１８に保管し、次のステップＳ１４にて、使用者により任意に設定することが可能なタイマー設定部１９に設定されているタイマー値を、タイマーカウント部１４に設定して、ステップＳ１１に戻る。
【００５２】
一方、ステップＳ１２にて、ＩＤ部１０１にＩＤ番号がセットされていない場合（「０」がセットされている場合）には、そのままステップＳ１１に戻る。
【００５３】
また、ステップＳ１１にて、受信がないと判断された場合には、ステップＳ１５に進み、ＩＤ保管部１８にＩＤ番号が保管されているかどうかをチェックする。その結果、ＩＤ番号が保管されていない場合には、まだ、１度もＴＶ本体１０とリモコン装置３０との通信が行われていないものと判断し、ステップＳ１１に戻る。
【００５４】
一方、ステップＳ１５で、ＩＤ番号が保管されていると判断した場合には、ステップＳ１６に進み、タイマーカウント部１４のカウント値が「０」になっているかどうかをチェックする。その結果、タイマーカウント部１４のカウント値が「０」でない場合には、ステップＳ１１に戻って、再度、受信データを待つ。一方、タイマーカウント部１４のカウント値が「０」になっている場合には、ステップＳ１７に進んで、ＴＶ本体１０の電源をオフ状態にする。
【００５５】
次に、図６に示すフローチャートを参照して、リモコン装置３０の送受信に関するデータの流れを説明する。
【００５６】
ステップＳ２１では、定期的に受信があるかどうかのチェックを行い、受信があった場合は、ステップＳ２２に進んで、受信したデータのＩＤ部１０１にＩＤ番号が設定されているかどうかをチェックし、ＩＤ番号が設定されている場合には、ステップＳ２３に進んで、そのＩＤ番号が、ＩＤ番号記憶部３６に記憶している自らのＩＤ番号と一致するかどうかをチェックする。
【００５７】
その結果、リモコン装置３０が保有するＩＤ番号と同じＩＤ番号がＩＤ部１０１にセットされている場合（ステップＳ２３でＹｅｓと判断される場合）には、ステップＳ２４に進んで、受信したデータのタイマー部１０２にセットされた値をタイマーカウント部３４にセットし、次のステップＳ２５で、回路部４１の電源スイッチ４２をオン状態にして、ステップＳ２６に進む。
【００５８】
一方、ステップＳ２２において、受信したデータにＩＤ番号がセットされていない場合や、ステップＳ２３において異なるＩＤ番号であると判断された場合にも、同様にステップＳ２６に進む。
【００５９】
ステップＳ２６では、リモコン装置３０が保有しているＩＤ番号（ＩＤ番号記憶部３６に記憶されているＩＤ番号）をＩＤ部１０１にセットし、ステップＳ２７でそのデータを送信する。
【００６０】
一方、ステップＳ２１において受信がないと判断された場合には、ステップＳ２８に進んで、タイマーカウント部３４のカウント値が「０」になっているかどうかをチェックする。その結果、タイマーカウント部３４のカウント値が「０」でない場合には、ステップＳ２１に戻って、再度、受信データを待つ。一方、タイマーカウント部３４のカウント値が「０」になっている場合には、ステップＳ２９に進んで、リモコン装置３０の回路部４１の電源スイッチ４２をオフ状態にする。
【００６１】
このように、本実施の形態１によれば、リモコン装置３０の送信部３２よりＴＶ本体１０に向けて常時送信を行うことにより、リモコン装置３０は自らの存在をＴＶ本体１０に通知することができる。また、受信部３１においてＴＶ本体１０からの送信を確認し、ＩＤ確認部３７において自らが保有するＩＤ番号との比較を行うので、受信したデータが自らに向けて送信されたものかどうかを判断することができる。さらに、リモコン装置３０のタイマーカウント部３４に、使用者が望む時間を設定できるので、リモコン装置３０がＴＶ本体１０と通信可能な範囲外に出てから、どれくらいの時間が経過したらリモコン装置３０の電源をオフ状態にするのかを、使用者が自由に設定することができる。さらにまた、リモコン装置３０自体の回路部の電源をオフ状態にするため、リモコン装置３０の省電力にも有効である。
【００６２】
また、ＴＶ本体１０においても、受信部１１においてリモコン装置３０から送信されてきたデータを受信することにより、通信可能な範囲内にリモコン装置３０が存在することを認識できる。また、ＩＤ保管部１８を設けることにより、通信可能な範囲内に複数のリモコン装置が存在した場合でも、通信相手となる１つのリモコン装置を認識することができる。さらに、タイマーカウント部１４において、リモコン装置３０より送信されてきた時間データを設定することにより、リモコン装置３０がＴＶ本体１０と通信可能な範囲外に出てから、設定時間が経過したときに、ＴＶ本体１０の電源をオフ状態にすることができる。
【００６３】
［応用例１］
本応用例１では、図１に示すＴＶ本体１０におけるモード設定部２２、図２に示すリモコン装置３０におけるモード設定部４０は利用しない。すなわち、これらを削除した構成とすることが可能となっている。
【００６４】
つまり、本応用例１では、上記実施の形態１の構成に加え、リモコン装置３０は、時刻を認識する時計部３８と、使用者が任意の時刻を設定することが可能な時刻設定部３９とをさらに備えており、ＴＶ本体１０も、時刻を認識する時計部２０と、時刻設定部２１とをさらに備えた構成となっている。これにより、使用者がリモコン装置３０を用いて任意の時刻を設定すると、その設定した時刻に、ＴＶ本体１０およびリモコン装置３０の双方の電源をオフ状態とすることが可能となる。
【００６５】
次に、本応用例１での処理を、図７および図８に示すフローチャートを参照して説明する。ただし、図７はリモコン装置３０での時刻設定および電源オフへの移行動作を示すフローチャート、図８はＴＶ本体１０での時刻設定および電源オフへの移行動作を示すフローチャートである。
【００６６】
まず、図７に示すフローチャートを参照して、リモコン装置３０での時刻設定および電源オフへの移行動作について説明する。
【００６７】
ただし、上記実施の形態１と同様、本応用例１においても、ＴＶ本体１０に電源が入っていて、ＴＶ制御部１５が、チューナ部１６や画像表示部１７をコントロールすることにより、ＴＶが表示されているものとする。
【００６８】
まず、ステップＳ３１でリモコン装置３０の回路部４１の電源スイッチ４２をオン状態にし、ボタン入力部３３からのボタン入力を有効として、リモコン装置３０によるＴＶ本体１０のコントロールを可能な状態にする。
【００６９】
次のステップＳ３２では、使用者による時刻の設定があるかどうかをチェックする。その結果、設定がある場合にはステップＳ３３に進み、設定がない場合にはステップＳ３５に進む。
【００７０】
ステップＳ３３では、設定された時刻を時刻設定部３９に設定する。時刻設定については、新規に行う場合だけでなく、設定されている時刻に変更があった場合にも、その変更を有効にするために、使用者により時刻が設定されていれば、その都度、時刻設定部３９の内容を更新する。
【００７１】
ステップＳ３４では、使用者により設定された時刻を、時刻設定部１０４（図３参照）に設定し、そのデータをＴＶ本体１０に送信する。
【００７２】
次のステップＳ３５では、時計部３８の計測する現在時刻と時刻設定部３９に設定された時刻とを比較することにより、設定した時刻になっているがどうかをチェックする。その結果、設定した時刻になっていない場合には、ステップＳ３２に戻って、上記のチェックを繰り返す。一方、設定した時刻になっている場合には、ステップＳ３７に進み（ステップＳ３６については後述する。）、リモコン装置３０の回路部４１の電源スイッチ４２をオフ状態にし、それ以降のボタン入力部３３の機能を停止する。
【００７３】
次に、図８に示すフローチャートを参照して、ＴＶ本体１０での時刻設定および電源オフへの移行動作について説明する。
【００７４】
まず、ステップＳ４１でＴＶ本体１０の電源をオン状態にする。これにより、リモコン装置３０との送受信が可能となる。
【００７５】
次のステップＳ４２では、リモコン装置３０からの受信があるかどうかをチェックする。その結果、受信がない場合には、再度ステップＳ４２を繰り返す。一方、ステップＳ４２において受信があった場合（Ｙｅｓと判断された場合）には、次のステップＳ４３に進んで、受信したデータ時刻設定部１０４（図３参照）に時刻が設定されているかをチェックする。その結果、時刻設定がされているデータを受信した場合には、次のステップＳ４４でその時刻をＴＶ本体１０の時刻設定部２１に設定して、ステップＳ４５に進む。一方、ステップＳ４３において、受信したデータに時刻が設定されていない場合には、そのままステップＳ４５に進む。
【００７６】
ステップＳ４５では、時計部２０の計測する現在時刻と時刻設定部２１に設定された時刻とを比較することにより、設定した時刻になっているかどうかをチェックする。その結果、設定した時刻になっていない場合には、ステップＳ４２に戻って、上記のチェックを繰り返す。一方、設定した時刻になっている場合には、ステップＳ４６に進み、自らＴＶ本体１０の電源をオフ状態にする。
【００７７】
このように、本応用例１によれば、リモコン装置３０の時刻設定部３９に、使用者が望む時刻を設定できるので、その設定時刻を時計部３８の計測する時刻と比較することにより、リモコン装置３０の状態や存在場所に関わらず（通信範囲内、外を問わず）、使用者が設定した時刻にリモコン装置３０の電源をオフ状態にすることができる。
【００７８】
また、ＴＶ本体１０においても、リモコン装置３０より送信されてきた時刻データを時刻設定部２１に設定することにより、その設定時刻を時計部２０の計測する時刻と比較することで、使用者が設定した時刻にＴＶ本体１０の電源をオフ状態にすることができる。
【００７９】
上記応用例１の処理動作は、ＴＶ本体１０が、リモコン装置３０と同様、時計部２０を備えている場合の処理動作であるが、次に、ＴＶ本体１０が時計部２０を備えていない場合の処理動作を、応用例２として説明する。
【００８０】
［応用例２］
本応用例２での処理を、図７および図９に示すフローチャートを参照して説明する。ただし、図７は、上記応用例１で用いたフローチャートであるが、本応用例２では、このフローチャートに図中破線で示すステップＳ３６が追加された構成となっている。また、図９はＴＶ本体１０での電源オフへの移行動作を示すフローチャートである。
【００８１】
まず、図７に示すフローチャートを参照して、リモコン装置３０での時刻設定および電源オフへの移行動作について説明する。
【００８２】
リモコン装置３０の処理は、フローチャートを見ても分かる通り、基本的には上記実施の形態２での処理とほとんど同じであるが、違うところは、ステップＳ３７でリモコン装置３０の回路部４１の電源スイッチ４２をオフ状態にする前に、ステップＳ３６において、モード設定部１０３（図３参照）に電源オフ状態のデータ（例えば、第１２bit と第１３bit の両方に「０」をセットする等）をセットして、ＴＶ本体１０に送信する。
【００８３】
このデータを受信するＴＶ本体１０では、図９に示すように、ステップＳ５１でリモコン装置３０からの受信をチェックし、受信がある場合には、次のステップＳ５２で、受信したデータのモード設定部１０３が「００」かどうか（電源オフか）をチェックする。そして、ステップＳ５１でリモコン装置３０からのデータを受信していなかったり、ステップＳ５２でチェックしたデータのモード設定部１０３が「００」でない場合は、再度ステップＳ５１に戻って、次のデータを待つ。
【００８４】
一方、ステップＳ５２で、受信したデータのモード設定部１０３の値が「００」である場合には、ステップＳ５３に進み、ＴＶ本体１０の電源をオフ状態にする。
【００８５】
このように、本応用例２によれば、ＴＶ本体１０が時計部２０を有しない場合でも、リモコン装置３０から送信されたデータを利用して、使用者が設定した時刻にＴＶ本体１０の電源をオフ状態にすることができる。
【００８６】
［実施の形態２］
本実施の形態２では、ＴＶ本体１０は図１に示す回路構成となっており、リモコン装置３０は図２に示す回路構成となっている。
【００８７】
つまり、本実施の形態２では、ＴＶ本体１０とリモコン装置３０との間で送受信するデータの先頭部分に、図３に示すモード設定部１０３を設けることにより、リモコン装置３０から送信するデータにより、ＴＶ本体１０のモードを切り替えることが可能となる。具体的には、上記実施の形態１の処理動作である、一定時間（タイマーカウント値にセットされたタイマー値）データを受信しなかった場合に電源をオフ状態とする動作モード（以下、一定時間モードという）への移行と、上記応用例１の処理動作である、所定時刻（時刻設定部に設定された時刻）になった場合に電源をオフ状態とする動作モード（以下、特定時刻モードという）への切り替えが可能になる。
【００８８】
すなわち、リモコン装置３０にはモード設定部４０が設けられており、使用者の意図により、一定時間モードもしくは特定時刻モードの設定が可能である。また、リモコン装置３０からＴＶ本体１０にデータが送信された場合、ＴＶ本体１０において、受信したデータのモード設定部１０３（図３参照）をチェックし、モード設定部１０３に設定されたモードを、モード設定部２２に設定する。そして、このように設定されたモードに従って、ＴＶ本体１０およびリモコン装置３０を、電源オフ状態に移行させる。
【００８９】
このモード切り替えに関して、図１０および図１１に示すフローチャートを参照して説明する。ただし、図１０は、リモコン装置３０側でのモード切り替え処理を示すフローチャート、図１１は、ＴＶ本体１０側でのモード切り替え処理を示すフローチャートである。
【００９０】
まず、図１０に示すフローチャートを参照して、リモコン装置３０側でのモード切り替え処理動作を説明する。
【００９１】
ステップＳ６１では、使用者によりモード設定部４０に何か設定されているかどうかをチェックする。設定されていない場合には、ステップＳ６１の処理を繰り返す。一方、設定されている場合には、ステップＳ６２に進む。
【００９２】
ステップＳ６２では、設定されているモードが一定時間モードかどうかをチェックし、一定時間モードである場合には、ステップＳ６３において、図３に示すモード設定部１０３に「１０」をセットする。
【００９３】
一方、ステップＳ６２において、設定されているモードが一定時間モードでない場合には、ステップＳ６４に進み、設定されているモードが特定時刻モードであるかどうかをチェックする。その結果、特定時刻モードである場合には、次のステップＳ６５において、図３に示すモード設定部１０３に「０１」をセットする。また、ステップＳ６４で特定時刻モードでないと判断された場合には、次のステップＳ６６において、モード設定部１０３に「１１」をセットする。なお、「００」は、リモコン装置３０からＴＶ本体１０への電源オフ命令に使用する。
【００９４】
このようにして、ステップＳ６３、ステップＳ６５、ステップＳ６６において、モード設定部１０３にデータがセットされたら、次のステップＳ６７に進んで、そのデータをＴＶ本体１０に送信して処理を終了する。
【００９５】
次に、図１１に示すフローチャートを参照して、ＴＶ本体１０側でのモード切り替え処理動作を説明する。
【００９６】
ＴＶ本体１０は、リモコン装置３０からの受信があるまで、ステップＳ７１を繰り返す。そして、リモコン装置３０からの送信データを受信した場合には、ステップＳ７２に進んで、受信データをチェックする。その結果、モード設定部１０３が「１０」であれば、ステップＳ７３に進み、モード設定部２２に一定時間モードを設定する。
【００９７】
一方、モード設定部１０３が「１０」でない場合には、ステップＳ７４に進み、受信データを再度チェックする。その結果、モード設定部１０３が「０１」であれば、ステップＳ７５に進み、モード設定部２２に特定時刻モードを設定する。
【００９８】
一方、モード設定部１０３が「１０」でもない場合には、ステップＳ７６に進み、「いずれのモードも指定されていない」という情報を、モード設定部２２に設定する。
【００９９】
このようにして、ステップＳ７３、ステップＳ７５、ステップＳ７６において、モード設定部２２への各情報の設定が完了したら、次のステップＳ７７に進んで、処理を終了する。
【０１００】
なお、一定時間モードか特定時刻モードのいずれかがモード設定部２２に設定された場合の、ＴＶ本体１０およびリモコン装置３０の電源オフ状態への移行処理については、上記実施の形態１および実施の形態２で説明した手法と同様であるので、ここでは説明を省略する。
【０１０１】
このように、本実施の形態４によれば、リモコン装置３０側にモード設定部４０を設けることにより、使用者によるモードの切り替えが可能になり、リモコン装置３０から送信されたデータをＴＶ本体１０で受信し、ＴＶ本体１０側に設けられたモード設定部２２にその設定値を保存することで、ＴＶ本体１０のモードも切り替えることができる。
【０１０２】
【発明の効果】
本発明の双方向無線通信可能な情報機器によれば、リモコン装置は、情報処理装置から定期的に送信される存在確認信号を一定時間受信しなかった場合に、自らの回路部の電源をオフ制御する制御手段を備えた構成としている。すなわち、リモコン装置が情報処理装置と通信可能な範囲外に出てから一定時間が経過したら、リモコン装置自体の電源をオフ状態にするため、リモコン装置の省電力化を図ることができる。
【０１０３】
また、本発明の双方向無線通信可能な情報機器によれば、情報処理装置は、リモコン装置から送信されてくる存在確認応答信号を一定時間受信しなかった場合に、装置全体の電源をオフ制御する制御手段を備えた構成としている。すなわち、リモコン装置が情報処理装置と通信可能な範囲外に出てから一定時間が経過したら、情報処理装置の電源をオフ状態にするため、情報処理装置の省電力化を図ることができる。
【０１０７】
また、本発明の双方向無線通信可能な情報機器によれば、リモコン装置は、情報処理装置から定期的に送信されてくる存在確認信号を受信すると存在確認応答信号を送信する送信手段と、モード切替信号を送信する送信手段とを備え、情報処理装置は、リモコン装置からのモード切替信号により、リモコン装置から送信されてくる存在確認応答信号を一定時間受信しなかった場合に、装置全体の電源をオフ制御する一定時間モード、または時刻設定手段に設定された時刻になったとき、装置全体の電源をオフ制御する特定時刻モードのいずれかの動作モードに切替可能な制御手段を備えた構成としている。すなわち、リモコン装置側にモード切替信号の送信手段を設けることにより、情報処理装置のモードを切り替えることができる。
【図面の簡単な説明】
【図１】本発明の双方向無線通信可能な情報機器をテレビジョン受信機に適用した場合のＴＶ本体側の回路構成を示すブロック図である。
【図２】本発明の双方向無線通信可能な情報機器をテレビジョン受信機に適用した場合のリモコン装置側の回路構成を示すブロック図である。
【図３】ＴＶ本体とリモコン装置との間で送受信されるデータの構造図である。
【図４】ＴＶ本体の送信動作を示すフローチャートである。
【図５】ＴＶ本体の受信動作を示すフローチャートである。
【図６】リモコン装置の送受信動作を示すフローチャートである。
【図７】リモコン装置での時刻設定および電源オフへの移行動作を示すフローチャートである。
【図８】ＴＶ本体での時刻設定および電源オフへの移行動作を示すフローチャートである。
【図９】ＴＶ本体での電源オフへの移行動作を示すフローチャートである。
【図１０】リモコン装置でのモード切り替え処理を示すフローチャートである。
【図１１】ＴＶ本体でのモード切り替え処理を示すフローチャートである。
【図１２】従来のテレビジョン受信機のＴＶ本体側の回路構成を示すブロック図である。
【図１３】リモコン装置側の回路構成を示すブロック図である。
【符号の説明】
１０  ＴＶ本体
１１  受信部
１２  送信部
１３  通信制御部
１４  タイマーカウント部
１５  ＴＶ制御部
１６  チューナ部
１７  画像表示部
１８  ＩＤ保管部
１９  タイマー設定部
２０  時計部
２１  時刻設定部
２２  モード設定部
３０  リモコン装置
３１  受信部
３２  送信部
３３  ボタン入力部
３４  タイマーカウント部
３５  通信制御部
３６  ＩＤ番号記憶部
３７  ＩＤ確認部
３８  時計部
３９  時刻設定部
４０  モード設定部
４１  回路部
４２  電源スイッチ
【図１】
0004514883.tif 000002
【図２】
0004514883.tif 000003
【図３】
0004514883.tif 000004
【図４】
0004514883.tif 000005
【図５】
0004514883.tif 000006
【図６】
0004514883.tif 000007
【図７】
0004514883.tif 000008
【図８】
0004514883.tif 000009
【図９】
0004514883.tif 000010
【図１０】
0004514883.tif 000011
【図１１】
0004514883.tif 000012
【図１２】
0004514883.tif 000013
【図１３】
0004514883.tif 000014